【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置において、
前記画像データ蓄積用メモリの記憶領域は、バックアップ回路によりバックアップされたバックアップ領域と、バックアップ回路によりバックアップされていない非バックアップ領域とにより構成されると共に、前記バックアップの必要な種別の処理に係る画像データの蓄積に使用するバックアップ要画像データ記憶領域として前記バックアップ領域を用い、前記バックアップの不要な種別の処理に係る画像データの蓄積に使用するバックアップ不要画像データ記憶領域として前記非バックアップ領域を用いる一方、前記画像データ蓄積用メモリに蓄積すべき画像データに対する処理の種別がバックアップを必要とするものか否かを判断するバックアップ要否判断手段と、前記バックアップ要否判断手段によりバックアップ要と判断された種別の処理に係る画像データは前記バックアップ要画像データ記憶領域に蓄積し、前記バックアップ要否判断手段によりバックアップ不要と判断された種別の処理に係る画像データは前記バックアップ不要画像データ記憶領域に蓄積する画像データ蓄積制御手段とを備えたことを特徴とする画像処理装置。
【請求項２】  バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置において、
前記画像データ蓄積用メモリの記憶領域は、バックアップ回路によりバックアップされたバックアップ領域と、バックアップ回路によりバックアップされていない非バックアップ領域とにより構成される一方、前記バックアップの必要な種別の処理に係る画像データの蓄積に使用するバックアップ要画像データ記憶領域として前記バックアップ領域を設定すると共に、前記バックアップの不要な種別の処理に係る画像データの蓄積に使用するバックアップ不要画像データ記憶領域として前記非バックアップ領域を設定する画像データ蓄積領域設定手段と、前記画像データ蓄積用メモリに蓄積すべき画像データに対する処理の種別がバックアップを必要とするものか否かを判断するバックアップ要否判断手段と、前記バックアップ要否判断手段によりバックアップ要と判断された種別の処理に係る画像データは前記バックアップ要画像データ記憶領域に蓄積し、前記バックアップ要否判断手段によりバックアップ不要と判断された種別の処理に係る画像データは前記バックアップ不要画像データ記憶領域に蓄積する画像データ蓄積制御手段とを備えたことを特徴とする画像処理装置。
【請求項３】  前記画像データ蓄積領域設定手段は、前記バックアップの必要な種別の処理に係るオプション構成または／及び前記バックアップの不要な処理に係るオプション構成の接続状態に応じて、前記バックアップ領域の一部または全部を前記非バックアップ領域と共に前記バックアップ不要画像データ記憶領域として設定するものであることを特徴とする請求項２に記載の画像処理装置。
【請求項４】  前記画像データ蓄積領域設定手段は、前記バックアップの必要な種別の処理及び前記バックアップの不要な処理のそれぞれの実行回数に応じて、前記バックアップ領域の一部または全部を前記非バックアップ領域と共に前記バックアップ不要画像データ記憶領域として設定するものであることを特徴とする請求項２に記載の画像処理装置。
【請求項５】  前記画像データ蓄積領域設定手段は、所定の記憶領域設定操作に応じて、前記バックアップ領域の一部または全部を前記非バックアップ領域と共に前記バックアップ不要画像データ記憶領域として設定するものであることを特徴とする請求項２に記載の画像処理装置。
【請求項６】  前記バックアップ要画像データ記憶領域及び前記バックアップ不要画像データ記憶領域のそれぞれについて残容量を管理する個別残容量管理手段を更に備えたことを特徴とする請求項１、２、３、４または５のいずれかに記載の画像処理装置。
【請求項７】  前記画像データ蓄積制御手段は、前記バックアップの不要な種別の処理に係る画像データを前記バックアップ不要画像データ記憶領域に蓄積する際に当該バックアップ不要画像データ記憶領域が満杯になった場合には、前記バックアップ要画像データ記憶領域に当該画像データを蓄積することを特徴とする請求項１、２、３、４、５または６のいずれかに記載の画像処理装置。
【請求項８】  前記バックアップの不要な種別の処理は、画像読取手段により原稿を読み取って得られた画像データを前記画像データ蓄積用メモリに蓄積した後読み出して画像記録手段により記録紙に記録するコピー処理である一方、前記バックアップの必要な種別の処理は、画像読取手段により原稿を読み取って得られた画像データを前記画像データ蓄積用メモリに蓄積した後読み出して相手先装置に送信するメモリ送信処理、または／及び、相手先装置から受信して得られた画像データを前記画像データ蓄積用メモリに蓄積した後読み出して画像記録手段により記録紙に記録するメモリ受信処理であることを特徴とする請求項１、２、３、４、５、６または７のいずれかに記載の画像処理装置。
【請求項９】  バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置の制御方法において、
前記画像データ蓄積用メモリの記憶領域は、バックアップ回路によりバックアップされたバックアップ領域と、バックアップ回路によりバックアップされていない非バックアップ領域とにより構成されると共に、前記バックアップの必要な種別の処理に係る画像データの蓄積に使用するバックアップ要画像データ記憶領域として前記バックアップ領域を用い、前記バックアップの不要な種別の処理に係る画像データの蓄積に使用するバックアップ不要画像データ記憶領域として前記非バックアップ領域を用いる一方、前記画像データ蓄積用メモリに蓄積すべき画像データに対する処理の種別がバックアップを必要とするものか否かを判断し、バックアップ要と判断された種別の処理に係る画像データは前記バックアップ要画像データ記憶領域に蓄積し、バックアップ不要と判断された種別の処理に係る画像データは前記バックアップ不要画像データ記憶領域に蓄積することを特徴とする画像処理装置の制御方法。
【請求項１０】  バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置の制御方法において、
前記画像データ蓄積用メモリの記憶領域は、バックアップ回路によりバックアップされたバックアップ領域と、バックアップ回路によりバックアップされていない非バックアップ領域とにより構成される一方、前記バックアップの必要な種別の処理に係る画像データの蓄積に使用するバックアップ要画像データ記憶領域として前記バックアップ領域を設定すると共に、前記バックアップの不要な種別の処理に係る画像データの蓄積に使用するバックアップ不要画像データ記憶領域として前記非バックアップ領域を設定し、前記画像データ蓄積用メモリに蓄積すべき画像データに対する処理の種別がバックアップを必要とするものか否かを判断し、バックアップ要と判断された種別の処理に係る画像データは前記バックアップ要画像データ記憶領域に蓄積し、バックアップ不要と判断された種別の処理に係る画像データは前記バックアップ不要画像データ記憶領域に蓄積することを特徴とする画像処理装置の制御方法。
【請求項１１】  前記バックアップの必要な種別の処理に係るオプション構成または／及び前記バックアップの不要な処理に係るオプション構成の接続状態に応じて、前記バックアップ領域の一部または全部を前記非バックアップ領域と共に前記バックアップ不要画像データ記憶領域として設定することを特徴とする請求項１０に記載の画像処理装置の制御方法。
【請求項１２】  前記バックアップの必要な種別の処理及び前記バックアップの不要な処理のそれぞれの実行回数に応じて、前記バックアップ領域の一部または全部を前記非バックアップ領域と共に前記バックアップ不要画像データ記憶領域として設定することを特徴とする請求項１０に記載の画像処理装置の制御方法。
【請求項１３】  所定の記憶領域設定操作に応じて、前記バックアップ領域の一部または全部を前記非バックアップ領域と共に前記バックアップ不要画像データ記憶領域として設定することを特徴とする請求項１０に記載の画像処理装置の制御方法。
【請求項１４】  前記バックアップ要画像データ記憶領域及び前記バックアップ不要画像データ記憶領域のそれぞれについて残容量を管理することを特徴とする請求項９、１０、１１、１２または１３のいずれかに記載の画像処理装置の制御方法。
【請求項１５】  前記バックアップの不要な種別の処理に係る画像データを前記バックアップ不要画像データ記憶領域に蓄積する際に当該バックアップ不要画像データ記憶領域が満杯になった場合には、前記バックアップ要画像データ記憶領域に当該画像データを蓄積することを特徴とする請求項９、１０、１１、１２、１３または１４のいずれかに記載の画像処理装置の制御方法。
【請求項１６】  前記バックアップの不要な種別の処理は、原稿を読み取って得られた画像データを前記画像データ蓄積用メモリに蓄積した後読み出して記録紙に記録するコピー処理である一方、前記バックアップの必要な種別の処理は、原稿を読み取って得られた画像データを前記画像データ蓄積用メモリに蓄積した後読み出して相手先装置に送信するメモリ送信処理、または／及び、相手先装置から受信して得られた画像データを前記画像データ蓄積用メモリに蓄積した後読み出して記録紙に記録するメモリ受信処理であることを特徴とする請求項９、１０、１１、１２、１３、１４または１５のいずれかに記載の画像処理装置の制御方法。 
【手続補正２】
【補正対象書類名】明細書
【補正対象項目名】０００１
【補正方法】変更
【補正の内容】
【０００１】
【発明の属する技術分野】
本発明は、ファクシミリ装置やデジタル複合機等の画像処理装置及びその制御方法に関し、特に、バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置及びその制御方法に関する。
【手続補正３】
【補正対象書類名】明細書
【補正対象項目名】０００２
【補正方法】変更
【補正の内容】
【０００２】
【従来の技術】
バックアップの必要な種別の処理またはバックアップの不要な種別の処理に係る画像データをいったん画像データ蓄積用メモリに蓄積し、その画像データ蓄積用メモリに蓄積した画像データに対して、所定の種別の処理を行う、ファクシミリ装置等の画像処理装置においては、画像データに対して行う処理の種別により、要求されるメモリ保持時間が異なる。
【手続補正４】
【補正対象書類名】明細書
【補正対象項目名】０００３
【補正方法】変更
【補正の内容】
【０００３】
つまり、原稿をスキャナにより読み取りことにより得られた画像データをいったん画像データ蓄積用メモリに蓄積してから、プロッタにより記録紙に記録するコピー処理においては、プロッタによる記録紙への記録が完了する前に電源断により、メモリに蓄積した処理対象画像データが消失してしまっても、処理対象画像データの元となる原稿が手元にあり、また、ユーザの装置の側にいるために、再度コピー処理をやりなおせば容易に対応できる。
【手続補正５】
【補正対象書類名】明細書
【補正対象項目名】０００４
【補正方法】変更
【補正の内容】
【０００４】
一方、ファクシミリ受信により得られた画像データをいったん画像データ蓄積用メモリに蓄積して、ファクシミリ受信の終了後に、プロッタにより記録紙に記録する、いわゆるメモリ受信処理においては、プロッタによる記録紙への記録が完了する前に電源断により蓄積した画像データが消失してしまうと、画像データの元となる原稿がファクシミリ受信の相手先側にあるため、相手先に再送信を依頼しなければならず、また、再送信を依頼すべき相手先が不明の場合もある。
【手続補正６】
【補正対象書類名】明細書
【補正対象項目名】０００５
【補正方法】変更
【補正の内容】
【０００５】
また、原稿をスキャナより読み取ることにより得られた画像データをいったん画像データ蓄積用メモリに蓄積してから、指定された宛先に発呼して相手先装置にファクシミリ送信する、いわゆるメモリ送信処理においては、ファクシミリ送信が完了する前に電源断により蓄積していた画像データが消失してしまうと、原稿の読み取りが完了したユーザは既に装置の側をはなれているため、送信エラーの発生に気づくのが遅れたり、原稿の読み取り完了をもって送信が完了したと安心して送信エラーの発生に気づかないような場合もある。また、指定した時刻（例えば深夜の時間帯）まで画像データを蓄積しておいて、指定した時刻になると相手先に自動的に発呼して送信するような、時刻指定を伴うメモリ送信のように、画像データの蓄積時間が長い場合には、電源断により蓄積していた画像データが消失してしまって、誰も気づかないまま送信エラーになってしまう場合がる。
【手続補正７】
【補正対象書類名】明細書
【補正対象項目名】０００６
【補正方法】変更
【補正の内容】
【０００６】
そのように、処理対象の画像データをいったん画像データ蓄積用メモリに蓄積してからその処理対象の画像データに対して行う処理としては、処理対象の画像データを電源断ときにも画像データ蓄積用メモリに保持しておく必要がある、上述のメモリ送受信処理等のバックアップ要の処理と、処理対象の画像データが電源断ときにメモリから消失してしまっても、さしたる弊害のない、上述のコピー処理等のバックアップ不要の処理とがある。
【手続補正８】
【補正対象書類名】明細書
【補正対象項目名】０００７
【補正方法】変更
【補正の内容】
【０００７】
【発明が解決しようとする課題】
しかし、従来のファクシミリ装置等の画像処理装置においては、処理対象の画像データに対する処理種別によらず、処理対象の画像データを一律にバックアップされたメモリに蓄積するようにしていたため、バックアップ不要な種別の処理に係る画像データまでもが、バックアップされたメモリに蓄積されて、バックアップされた記憶領域を消費してしまうことになる。
【手続補正９】
【補正対象書類名】明細書
【補正対象項目名】０００８
【補正方法】変更
【補正の内容】
【０００８】
メモリのバックアップは、バックアップするメモリの容量が大きくなれば、その分、バックアップ用の電源やバックアップ回路に大容量のものを必要とし、装置コストの増大や、バックアップ用バッテリの廃棄時の環境への負荷の増大をまねくという問題点があった。
【手続補正１０】
【補正対象書類名】明細書
【補正対象項目名】００１０
【補正方法】変更
【補正の内容】
【００１０】
【課題を解決するための手段】
請求項１に記載の画像処理装置は、バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置において、前記画像データ蓄積用メモリの記憶領域は、バックアップ回路によりバックアップされたバックアップ領域と、バックアップ回路によりバックアップされていない非バックアップ領域とにより構成されると共に、前記バックアップの必要な種別の処理に係る画像データの蓄積に使用するバックアップ要画像データ記憶領域として前記バックアップ領域を用い、前記バックアップの不要な種別の処理に係る画像データの蓄積に使用するバックアップ不要画像データ記憶領域として前記非バックアップ領域を用いる一方、前記画像データ蓄積用メモリに蓄積すべき画像データに対する処理の種別がバックアップを必要とするものか否かを判断するバックアップ要否判断手段と、前記バックアップ要否判断手段によりバックアップ要と判断された種別の処理に係る画像データは前記バックアップ要画像データ記憶領域に蓄積し、前記バックアップ要否判断手段によりバックアップ不要と判断された種別の処理に係る画像データは前記バックアップ不要画像データ記憶領域に蓄積する画像データ蓄積制御手段とを備えたことを特徴とする。
【手続補正１１】
【補正対象書類名】明細書
【補正対象項目名】００１１
【補正方法】変更
【補正の内容】
【００１１】
請求項２に記載の画像処理装置は、バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置において、前記画像データ蓄積用メモリの記憶領域は、バックアップ回路によりバックアップされたバックアップ領域と、バックアップ回路によりバックアップされていない非バックアップ領域とにより構成される一方、前記バックアップの必要な種別の処理に係る画像データの蓄積に使用するバックアップ要画像データ記憶領域として前記バックアップ領域を設定すると共に、前記バックアップの不要な種別の処理に係る画像データの蓄積に使用するバックアップ不要画像データ記憶領域として前記非バックアップ領域を設定する画像データ蓄積領域設定手段と、前記画像データ蓄積用メモリに蓄積すべき画像データに対する処理の種別がバックアップを必要とするものか否かを判断するバックアップ要否判断手段と、前記バックアップ要否判断手段によりバックアップ要と判断された種別の処理に係る画像データは前記バックアップ要画像データ記憶領域に蓄積し、前記バックアップ要否判断手段によりバックアップ不要と判断された種別の処理に係る画像データは前記バックアップ不要画像データ記憶領域に蓄積する画像データ蓄積制御手段とを備えたことを特徴とする。
【手続補正１２】
【補正対象書類名】明細書
【補正対象項目名】００１７
【補正方法】変更
【補正の内容】
【００１７】
請求項８に記載の画像処理装置は、請求項１、２、３、４、５、６または７のいずれかに記載の画像処理装置において、前記バックアップの不要な種別の処理は、画像読取手段により原稿を読み取って得られた画像データを前記画像データ蓄積用メモリに蓄積した後読み出して画像記録手段により記録紙に記録するコピー処理である一方、前記バックアップの必要な種別の処理は、画像読取手段により原稿を読み取って得られた画像データを前記画像データ蓄積用メモリに蓄積した後読み出して相手先装置に送信するメモリ送信処理、または／及び、相手先装置から受信して得られた画像データを前記画像データ蓄積用メモリに蓄積した後読み出して画像記録手段により記録紙に記録するメモリ受信処理であることを特徴とする。
【手続補正１３】
【補正対象書類名】明細書
【補正対象項目名】００１８
【補正方法】変更
【補正の内容】
【００１８】
請求項９に記載の画像処理装置の制御方法は、バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置の制御方法において、前記画像データ蓄積用メモリの記憶領域は、バックアップ回路によりバックアップされたバックアップ領域と、バックアップ回路によりバックアップされていない非バックアップ領域とにより構成されると共に、前記バックアップの必要な種別の処理に係る画像データの蓄積に使用するバックアップ要画像データ記憶領域として前記バックアップ領域を用い、前記バックアップの不要な種別の処理に係る画像データの蓄積に使用するバックアップ不要画像データ記憶領域として前記非バックアップ領域を用いる一方、前記画像データ蓄積用メモリに蓄積すべき画像データに対する処理の種別がバックアップを必要とするものか否かを判断し、バックアップ要と判断された種別の処理に係る画像データは前記バックアップ要画像データ記憶領域に蓄積し、バックアップ不要と判断された種別の処理に係る画像データは前記バックアップ不要画像データ記憶領域に蓄積することを特徴とする。
【手続補正１４】
【補正対象書類名】明細書
【補正対象項目名】００１９
【補正方法】変更
【補正の内容】
【００１９】
請求項１０に記載の画像処理装置の制御方法は、バックアップの必要な種別の処理またはバックアップの不要な種別の処理に係る画像データをいったん画像データ蓄積用メモリに蓄積し、その画像データ蓄積用メモリに蓄積した画像データに対して所定の種別の処理を行う画像処理装置の制御方法において、前記画像データ蓄積用メモリの記憶領域は、バックアップ回路によりバックアップされたバックアップ領域と、バックアップ回路によりバックアップされていない非バックアップ領域とにより構成される一方、前記バックアップの必要な種別の処理に係る画像データの蓄積に使用するバックアップ要画像データ記憶領域として前記バックアップ領域を設定すると共に、前記バックアップの不要な種別の処理に係る画像データの蓄積に使用するバックアップ不要画像データ記憶領域として前記非バックアップ領域を設定し、前記画像データ蓄積用メモリに蓄積すべき画像データに対する処理の種別がバックアップを必要とするものか否かを判断し、バックアップ要と判断された種別の処理に係る画像データは前記バックアップ要画像データ記憶領域に蓄積し、バックアップ不要と判断された種別の処理に係る画像データは前記バックアップ不要画像データ記憶領域に蓄積することを特徴とする。
【手続補正１５】
【補正対象書類名】明細書
【補正対象項目名】００２５
【補正方法】変更
【補正の内容】
【００２５】
請求項１６に記載の画像処理装置の制御方法は、請求項９、１０、１１、１２、１３、１４または１５のいずれかに記載の画像処理装置の制御方法において、前記バックアップの不要な種別の処理は、原稿を読み取って得られた画像データを前記画像データ蓄積用メモリに蓄積した後読み出して記録紙に記録するコピー処理である一方、前記バックアップの必要な種別の処理は、原稿を読み取って得られた画像データを前記画像データ蓄積用メモリに蓄積した後読み出して相手先装置に送信するメモリ送信処理、または／及び、相手先装置から受信して得られた画像データを前記画像データ蓄積用メモリに蓄積した後読み出して記録紙に記録するメモリ受信処理であることを特徴とする。
【手続補正１６】
【補正対象書類名】明細書
【補正対象項目名】００９６
【補正方法】変更
【補正の内容】
【００９６】
【発明の効果】
請求項１または９に係る発明によれば、前記バックアップの必要な種別の処理に係る画像データと、前記バックアップの不要な処理に係る画像データとを区別なく前記画像データ蓄積用メモリに蓄積するのではなく、前記画像データ蓄積用メモリの記憶領域を、バックアップ回路によりバックアップされたバックアップ領域と、バックアップ回路によりバックアップされない非バックアップ領域とに分けて構成すると共に、前記バックアップ領域を、前記バックアップ要画像データ記憶領域として用い、前記非バックアップ領域を前記バックアップ不要画像データ記憶領域として用いるようにしたため、前記バックアップの必要な種別の処理に係る画像データの蓄積に必要な分の記憶領域だけをバックアップすれば済むようになる。それにより、記憶領域の効率的な使用及びバックアップ回路の低容量化が可能となって装置コストの低減及びバックアップ用バッテリを減らすことによる環境への負荷の低減を図ることが可能となる効果が得られる。
【手続補正１７】
【補正対象書類名】明細書
【補正対象項目名】００９７
【補正方法】変更
【補正の内容】
【００９７】
請求項２または１０に係る発明によれば、前記バックアップの必要な種別の処理に係る画像データと、前記バックアップの不要な処理に係る画像データとを区別なく前記画像データ蓄積用メモリに蓄積するのではなく、前記画像データ蓄積用メモリの記憶領域を、バックアップ回路によりバックアップされたバックアップ領域と、バックアップ回路によりバックアップされない非バックアップ領域とに分けて構成すると共に、前記バックアップ領域を、前記バックアップ要画像データ記憶領域として設定し、前記非バックアップ領域を前記バックアップ不要画像データ記憶領域として設定するようにしたため、前記バックアップの必要な種別の処理に係る画像データの蓄積に必要な分の記憶領域だけをバックアップすれば済むようになる。それにより、記憶領域の効率的な使用及びバックアップ回路の低容量化が可能となって装置コストの低減及びバックアップ用バッテリを減らすことによる環境への負荷の低減を図ることが可能となる効果が得られる。
【手続補正１８】
【補正対象書類名】明細書
【補正対象項目名】００９８
【補正方法】変更
【補正の内容】
【００９８】
請求項３または１１に係る発明によれば、接続されるオプション構成の状態に応じて前記バックアップ領域の一部または全部を、前記非バックアップ領域と共に前記バックアップ不要画像データ記憶領域として使用することができるようになるため、前記バックアップの不要な処理に係る画像データの蓄積に流用可能な、前記画像データ蓄積用メモリのバックアップ領域を、接続されるオプション構成の状態に応じて変化する、前記バックアップの不要な処理の頻度に応じた最適な量だけ、前記バックアップの不要な処理に係る画像データの蓄積に流用することができ、前記画像データ蓄積用メモリの記憶領域を、装置の使用状況に応じて効率的に使用することが可能となる効果が得られる。
【手続補正１９】
【補正対象書類名】明細書
【補正対象項目名】００９９
【補正方法】変更
【補正の内容】
【００９９】
請求項４または１２に係る発明によれば、前記バックアップの必要な種別の処理及び前記バックアップの不要な処理のそれぞれの実行回数に応じて、前記バックアップ領域の一部または全部を、前記非バックアップ領域と共に前記バックアップ不要画像データ記憶領域として使用することができるようになるため、前記バックアップの不要な処理に係る画像データの蓄積に流用可能な、前記画像データ蓄積用メモリのバックアップ領域を、前記バックアップの不要な処理及び前記バックアップの必要な処理のそれぞれの頻度に応じた最適な量だけ、前記バックアップの不要な処理に係る画像データの蓄積に流用することができ、前記画像データ蓄積用メモリの記憶領域を、装置の使用状況に応じて効率的に使用することが可能となる効果が得られる。
【手続補正２０】
【補正対象書類名】明細書
【補正対象項目名】０１００
【補正方法】変更
【補正の内容】
【０１００】
請求項５または１３に係る発明によれば、所定の記憶領域配分設定操作に応じて、前記バックアップ領域の一部または全部を、前記非バックアップ領域と共に前記バックアップ不要画像データ記憶領域として使用することができるようになるため、前記バックアップの不要な処理に係る画像データの蓄積に流用可能な、前記画像データ蓄積用メモリのバックアップ領域を、ユーザが所望するところに応じた最適な量だけ、前記バックアップの不要な処理に係る画像データの蓄積に流用することができ、前記画像データ蓄積用メモリの記憶領域を、装置の使用状況に応じて効率的に使用することが可能となる効果が得られる。
【手続補正２１】
【補正対象書類名】明細書
【補正対象項目名】０１０１
【補正方法】変更
【補正の内容】
【０１０１】
請求項６または１４に係る発明によれば、前記画像データ蓄積用メモリの記憶領域の残容量を一括してではなく、前記バックアップ要画像データ記憶領域とバックアップ不要画像データ記憶領域とのそれぞれについて個別に管理するようにしたため、各記憶領域のそれぞれについて個別の残容量表示が可能となる効果が得られる。